【手続補正書】
【提出日】令和2年10月26日(2020.10.26)
【手続補正１】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣り糸の巻き取り及び繰り出しが可能な両軸受リールに関する。
【背景技術】
【０００２】
両軸受リールには、スプールドラグ機構と、レベルワインド機構と、を備えたものがある。例えば、特許文献１に記載のスプールドラグ機構では、スプールと一体回転するスプール軸の両端を２枚のプレートで挟持して、スプールの回転を制動する。制動力の調整は、スプール軸回りに揺動可能な操作レバーにより行われる。また、レベルワインド機構は、釣り糸を案内するラインガイドを有し、ハンドルの回転に連動してラインガイドが往復移動する。これにより、釣り糸がスプールに均一に巻き付けられる。
【先行技術文献】
【特許文献】
【０００３】
【特許文献１】特開平９−２７５８６１号公報
【発明の概要】
【発明が解決しようとする課題】
【０００４】
特許文献１では、ラインガイドがスプールの回転ではなくハンドルの回転に連動して往復移動するため、釣り糸を繰り出しているとき、すなわち、仕掛けを落下させているときにおいて、ラインガイドは停止したままである。このため、スプールから繰り出される釣り糸は、そのほとんどが左右方向においてラインガイドと違う位置から繰り出されることになる。繰り出される釣り糸の位置とラインガイドの位置とが違えば、ラインガイドが釣り糸を繰り出すときの抵抗になり、仕掛けの落下速度が低下して、安定した落下速度を得ることができない。安定した落下速度が得られないと、特に、タイラバと呼ばれるルアーを用いた釣りでは、フォール（仕掛けの落下）中に魚を誘うことが難しくなり、釣果を得にくい。
【０００５】
本発明の課題は、釣り糸の繰り出し時において、安定した落下速度を容易に得られるようにすることにある。
【課題を解決するための手段】
【０００６】
本発明の一側面に係る両軸受リールは、釣り糸の巻き取り及び繰り出しが可能であり、リール本体と、スプールと、スプール軸と、操作部材と、往復移動機構と、を備えている。スプールは、リール本体に回転自在に支持されている。スプール軸は、スプールを支持する。操作部材は、リール本体に移動可能に設けられ、移動によりスプールに作用する制動力を調整操作する。往復移動機構は、スプールの回転に同期して釣り糸を軸方向に往復移動させる。
【０００７】
この両軸受リールでは、往復移動機構がスプールの回転に同期して釣り糸を軸方向に往復移動させるため、釣り糸の繰り出し時においても、スプールの回転に同期して、往復移動機構が軸方向に移動する。これにより、スプールから繰り出される釣り糸の位置と、往復移動機構の釣り糸を案内する位置とが左右方向においてずれることがない。その結果、スプールから釣り糸をスムーズに繰り出すことができ、安定した落下速度を得ることできる。そして、このような構成を前提として、さらに、操作部材の操作によりスプールに作用する制動力を調整することができるため、落下速度の調整が容易にできる。
【０００８】
好ましくは、リール本体に設けられた表示部と、スプールの回転に応じて仕掛けの水深を算出する水深算出手段と、水深算出手段により算出された仕掛けの水深を表示部に表示させる表示制御手段と、をさらに備えている。この場合は、表示部に表示された仕掛けの水深を確認しながら目標とする水深まで素早く仕掛けを落下させることができる。また、目標の水深付近では、操作部材を操作して制動力を大きくすることで、落下速度を遅くすることができる。これにより、状況に適した仕掛けの落下速度を容易に得ることができる。
【０００９】
好ましくは、少なくとも釣り糸の繰り出し速度をスプールの回転に応じて算出する速度算出手段をさらに備え、表示制御手段は、速度算出手段により算出された速度を表示部に表示可能である。この場合は、表示部に表示された釣り糸の繰り出し速度を確認しながら、釣り糸の繰り出し速度を操作部材で容易に調整できる。
【００１０】
好ましくは、スプール軸の一端面に接触する第１摩擦プレートと、スプール軸の他端面に接触する第２摩擦プレートと、をさらに備え、スプール軸はスプールと一体的に回転し、操作部材は、移動により第１及び第２摩擦プレートのスプール軸への押圧力を調整する。
【００１１】
好ましくは、スプール軸の軸方向に移動可能に設けられ、軸方向の移動によりスプールに作用する制動力を調整する調整部材をさらに備え、操作部材は、調整部材に取り付けられ、調整部材の回転方向に調整部材とともに揺動可能である。
【００１２】
好ましくは、操作部材は、調整部材に一体回転可能かつ着脱可能な取付部と、取付部から径方向外側に延びるとともに、径方向外側に延びるにしたがってリール本体の内側に向かって傾斜する操作本体部と、を有している。
【００１３】
好ましくは、操作部材の操作本体部の先端は、リール本体の上面よりさらに径方向外方に突出可能である。
【００１４】
好ましくは、往復移動機構は釣り糸を案内する糸案内部を有し、糸案内部は、側面視において、スプール軸よりも上方に配置されている。
【００１５】
好ましくは、往復移動機構は、リール本体に回転可能に支持されるとともに、外周面に螺旋状溝を有し、スプール軸の軸方向に延びる軸部材と、螺旋状溝に沿って摺動する摺動部材と、を有している。スプールの回転を往復移動機構の軸部材に伝達する回転伝達機構をさらに備えている。
【００１６】
好ましくは、回転伝達機構はスプールの回転を減速して軸部材に伝達する。
【００１７】
好ましくは、回転伝達機構はスプール側からの回転入力を受ける大径ギアと、大径ギアと同芯で一体的に回転し軸部材側に回転を出力する小径ギアを有する。
【発明の効果】
【００１８】
本発明によれば、釣り糸の繰り出し時において、安定した落下速度を容易に得ることができ、しかも落下速度の調整が容易になる。
【図面の簡単な説明】
【００１９】
【図１】本発明の一実施形態が採用された両軸受リールの平面図。
【図２】本発明の一実施形態が採用された両軸受リールの正面図。
【図３】図１のIII−III線断面図。
【図４】図２のIV−IV線断面図。
【図５】図２のＶ―Ｖ線断面図の一部を拡大した図。
【図６】両軸受リールの制御系の構成を示すブロック図。
【図７】他の実施形態に係る図３に相当する図。
【発明を実施するための形態】
【００２０】
本発明の一実施形態を採用した両軸受リール１００は、釣り糸を前方に繰り出し可能である。両軸受リール１００は、図１乃至図４に示すように、リール本体２と、スプール３と、ハンドル４と、スプール制動機構２０（図３参照）と、操作部材３０と、往復移動機構４０と、カウンターユニット５０と、を備えている。なお、以下の説明において、釣りを行うときに、釣糸が繰り出される方向を前、その反対方向を後という。また、左右とは、両軸受リール１００を後方から見たときの左右をいう。また、スプール軸１０が延びる方向を軸方向という。
【００２１】
リール本体２は、フレーム６と、第１側カバー７と、第２側カバー８と、前カバー９と、を有している。フレーム６は、第１側板６ａと、第２側板６ｂと、複数の連結部６ｃと、を有している。第１側板６ａは、フレーム６の右側に配置されている。第２側板６ｂは、第１側板６ａと軸方向に間隔を隔てて、フレーム６の左側に配置されている。第２側板６ｂの軸方向外側には、第１ボス部１１ａを有する支持部材１１が第１側板６ａに固定されている。複数の連結部６ｃは、軸方向に延びて第１側板６ａと第２側板６ｂとを連結している。
【００２２】
第１側カバー７は、フレーム６の第１側板６ａの右側方を覆う。第１側カバー７は、図３に示すように、軸方向外側に突出する第２ボス部７ａを有している。第２ボス部７ａは、第１側カバー７を軸方向に貫通して形成されている。第２ボス部７ａの外周面には雄ねじが形成されている。第２側カバー８は、フレーム６の第２側板６ｂの左側方を覆う。前カバー９は、フレーム６の前方を覆う。詳細には、前カバー９は、図２及び図４に示すように、往復移動機構４０の一部を前方から覆う。
【００２３】
スプール３は、第１側板６ａと第２側板６ｂとの間でリール本体２に回転自在に支持されている。また、スプール３は、図３に示すように、スプール３の中央を軸方向に貫通するスプール軸１０に支持されている。詳細には、スプール３は、スプール軸１０に固定されており、スプール軸１０と一体的に回転する。スプール軸１０は、リール本体２に配置された１対の軸受１２ａ，１２ｂを介して、リール本体２に回転可能に支持されている。
【００２４】
ハンドル４は、リール本体２に回転自在に支持されている。ハンドル４の回転は、図示しないドラグ機構及びスプール軸１０回りに装着されたピニオンギア１５を介してスプール３に伝達される。
【００２５】
なお、両軸受リール１００は、図３に示すように、ハンドル４の回転操作に伴うスプール３への回転力の伝達及び遮断を切り換えるクラッチ機構１６を有している。クラッチ機構１６は、リール本体２の後部に配置されたクラッチ操作部材１８の操作によってクラッチオン状態と、クラッチオフ状態とが切り替えられる。クラッチ機構１６、及びクラッチ操作部材１８の詳細については、従来と同様の構成であるため、詳細な説明を省略する。
【００２６】
スプール制動機構２０は、スプール３の回転を制動するための機構である。本実施形態では、スプール３と一体的に回転するスプール軸１０を軸方向に押圧することで、スプール３に作用する制動力が調整される。スプール制動機構２０は、調整部材２１と、第１摩擦プレート２２と、第２摩擦プレート２３と、を有している。
【００２７】
調整部材２１は、リール本体２に軸方向に移動可能に設けられ、軸方向の移動によりスプール３に作用する制動力を調整する。調整部材２１は、有底筒状の部材であり、内周面に形成された雌ねじが第２ボス部７ａの外周面に形成された雄ねじに螺合する。これにより、調整部材２１を回転させると、調整部材２１がリール本体２に対して軸方向に移動する。調整部材２１は、外周面に雄ねじ部２１ａを有している。雄ねじ部２１ａには、後述する規制部材３１が係合する。
【００２８】
第１摩擦プレート２２は、調整部材２１の底部に配置されている。第１摩擦プレート２２は、スプール軸１０の一端面に接触している。第２摩擦プレート２３は、支持部材１１の第１ボス部１１ａの底部に配置されている。第２摩擦プレート２３は、スプール軸１０の他端面に接触している。第１摩擦プレート２２及び第２摩擦プレート２３によってスプール軸１０の両端が軸方向に押圧されて、スプール軸１０の回転が制動される。また、調整部材２１の軸方向の移動により、スプール軸１０を押圧する押圧力が変化して、スプール３に作用する制動力が調整される。
【００２９】
操作部材３０は、リール本体２に移動可能に設けられ、移動によりスプール３に作用する制動力を調整操作する。本実施形態では操作部材３０は、調整部材２１に取り付けられている。操作部材３０は、調整部材２１の回転方向に調整部材２１とともに揺動可能である。操作部材３０の揺動に応じて調整部材２１が軸方向に移動する。
【００３０】
操作部材３０は、図１乃至図３に示すように、取付部３０ａと、操作本体部３０ｂと、を有している。取付部３０ａは、調整部材２１に一体回転可能かつ着脱可能に、調整部材２１の外周部に取り付けられている。
【００３１】
操作本体部３０ｂは、取付部３０ａから径方向外側に延びるとともに、径方向外側に延びるにしたがって、リール本体２の内側に向かって傾斜している。また、操作本体部３０ｂは、先端がリール本体２の上面よりもさらに径方向外方に突出可能である。
【００３２】
例えば、操作部材３０の操作本体部３０ｂを図１に示す位置から前方に押し倒すと、調整部材２１が第１側カバー７に近づく方向に移動する。この場合は、第１摩擦プレート２２及び第２摩擦プレート２３がスプール軸１０を押圧する押圧力が大きくなり、スプール制動機構２０の制動力が大きくなる。反対に、操作部材３０の操作本体部３０ｂを図１に示す位置から後方に押し倒すと、調整部材２１が第１側カバー７から離れる方向に移動する。この場合は、第１摩擦プレート２２及び第２摩擦プレート２３がスプール軸１０を押圧する押圧力が小さくなり、スプール制動機構２０の制動力が小さくなる。
【００３３】
なお、操作部材３０は、調整部材２１の雄ねじ部２１ａに係合する筒状の規制部材３１により軸方向の移動が規制されている。
【００３４】
往復移動機構４０は、スプール３の回転に同期して釣り糸を軸方向に往復移動させる。往復移動機構４０は、図２及び図４に示すように、軸部材４１と、案内部材４２と、ガイド軸４３と、摺動部材４４と、を有している。
【００３５】
軸部材４１は、円柱状であり、第１側板６ａと第２側板６ｂとの間を軸方向に延びて、リール本体２に回転可能に支持されている。軸部材４１は、螺旋状溝４１ａを外周面に有している。案内部材４２は、軸部材４１の外周側に配置されている。案内部材４２及びガイド軸４３は、第１側板６ａと第２側板６ｂとの間を軸方向に延びて、摺動部材４４の軸方向の移動を案内する。摺動部材４４は、スプール３に釣り糸を案内する糸案内部４４ａと、軸部材４１の螺旋状溝４１ａに係合する係合部４４ｂと、を有している。摺動部材４４は、螺旋状溝４１ａに沿って摺動する。
【００３６】
糸案内部４４ａは、筒状であり、前後方向に延びている。糸案内部４４ａは、図４に示すように、側面視において、スプール軸１０よりも上方に配置されている。
【００３７】
往復移動機構４０には、図３及び図５に示すように、第２側カバー８の内部に設けられた回転伝達機構４５を介して、スプール３の回転が伝達される。回転伝達機構４５は、スプール３の回転を往復移動機構４０の軸部材４１に減速して伝達する。詳細には、回転伝達機構４５は、入力ギア４６と、第１中間ギア４７と、第２中間ギア４８と、出力ギア４９と、を有している。
【００３８】
入力ギア４６は、スプール軸１０の軸回りに配置され、スプール軸１０と一体回転する。すなわち、本実施形態では、入力ギア４６はスプール３と一体回転する。第１中間ギア４７は、図５に示すように、段付ギアであり、大径ギア４７ａと小径ギア４７ｂと、を有している。大径ギア４７ａは、スプール３側からの回転入力を受けるギアであり、入力ギア４６に噛み合う。小径ギア４７ｂは、大径ギア４７ａよりも小径のギアであり、大径ギア４７ａと同芯で一体的に回転する。小径ギア４７ｂは、第２中間ギア４８に噛み合い、軸部材４１側に回転を出力する。第１中間ギア４７及び第２中間ギア４８は、第２側板６ｂ及び支持部材１１の軸方向間で回転可能に支持されている。出力ギア４９は、第２中間ギア４８に噛み合い、軸部材４１と一体回転可能に連結されている。これにより、入力ギア４６から、第１中間ギア４７、第２中間ギア４８、そして出力ギア４９を介してスプール３の回転が往復移動機構４０に伝達され、釣り糸が軸方向に往復移動する。
【００３９】
ここでは、入力ギア４６の回転が第１中間ギア４７の大径ギア４７ａに伝達され、そして大径ギア４７ａと一体回転する小径ギア４７ｂを介して入力ギア４６の回転が出力ギア４９に伝達される。これにより、往復移動機構４０の軸方向の移動が減速されるため、釣り糸が軸方向に押される力が低下し、例えば、釣り糸を繰り出す時において、釣り糸が糸案内部４４ａから受ける抵抗が小さくなる。
【００４０】
カウンターユニット５０は、リール本体２の上部に配置されている。カウンターユニット５０は、図６に示すように、制御部５１と、表示部５２と、回転検出部５３と、記憶部５４と、操作スイッチ５５と、を有している。
【００４１】
制御部５１は、速度算出部５６と、水深算出部５７と、表示制御部５８と、を有している。制御部５１には、第２側カバー８の内部に配置された電源５９から電力が供給される。電源５９は、例えば、円板形のアルカリ電池である。なお、速度算出部５６は速度算出手段の一例であり、水深算出部５７は水深算出手段の一例であり、表示制御部５８は表示制御手段の一例である。
【００４２】
制御部５１は、マイクロコンピュータを含み、ソフトウェアによって速度算出部５６、水深算出部５７及び表示制御部５８を制御する。速度算出部５６は、少なくとも釣り糸の繰り出し速度をスプール３の回転に応じて算出する。本実施形態では、速度算出部５６は、釣り糸の繰り出し速度及び巻き取り速度をスプール３の回転に応じて算出する。詳細には、速度算出部５６は、回転検出部５３からの信号を受けて、スプール３の回転速度を算出する。具体的には、例えば、所定時間毎のスプール３の平均回転数、又はスプール３の所定回転数毎の平均時間を元にスプール３の回転速度を算出する。なお、スプール３の糸巻き径の変化に応じて、スプール３の回転速度を算出してもよい。
【００４３】
水深算出部５７は、スプール３の回転に応じて水深を算出する。詳細には、スプール３から繰り出された糸長によって仕掛けが配置された水深を算出する。具体的には、記憶部５４に予め記憶されたスプール３の回転数と水深との関係から、スプール３が所定位置から何回転したかを元に水深を算出する。
【００４４】
表示制御部５８は、速度算出部５６によって算出されたスプール３の回転速度を、表示部５２に表示可能である。詳細には、表示制御部５８は、スプール３の回転速度範囲に応じて予め設定された所定の段数に変換して表示部５２に表示する。また、表示制御部５８は、水深算出部５７によって算出された仕掛けの水深を表示部５２に表示する。
【００４５】
表示部５２は、図１に示すように、リール本体２の上部に配置されている。詳細には、表示部５２は、カウンターユニット５０の上面に配置された液晶ディスプレイである。表示部５２には、数値、記号、及び一部のアルファベットが表示可能であり、水深やスプール３の回転速度範囲に応じて予め設定された段数などが状況に応じて表示される。
【００４６】
回転検出部５３は、スプール３に装着された図示しない磁石を検出可能なリードスイッチ又はホール素子を有している。回転検出部５３は、スプール３の回転を検出する。詳細には、回転検出部５３は、スプール３の回転数を検出して制御部５１に信号を出力する。また、回転検出部５３は、スプール３が巻き取り方向及び繰り出し方向のいずれの方向に回転しているかを検出して制御部５１に信号を出力する。
【００４７】
記憶部５４は、例えば、書き換え可能なフラッシュメモリで構成されている。記憶部５４には、工場出荷時において、両軸受リール１００のスプール３の大きさ、釣り糸の太さ及びスプール３に釣り糸を巻き付けたときのスプール３の回転数と、糸の長さとの関係が少なくとも一つ記憶されている。なお、これらの関係を、公知の学習処理によって記憶部５４に記憶させてもよい。
【００４８】
操作スイッチ５５は、表示部５２の右側（第１側カバー７側）に配置されている。操作スイッチ５５は、例えば押しボタンで構成されている。この操作スイッチ５５を異なる操作方法（例えば、長押し及びダブルクリック）で操作することによって各種の設定操作を行うことができる。
【００４９】
上記構成の両軸受リール１００では、往復移動機構４０がスプール３の回転に同期して、軸方向に往復移動する。これにより、スプール３から釣り糸を繰り出すときに、往復移動機構４０の糸案内部４４ａがスプール３の回転に同期して軸方向に移動する。このため、スプール３から繰り出される釣り糸の位置と、往復移動機構４０の糸案内部４４ａの位置と、の間に、左右方向のずれがない。その結果、スプール３から釣り糸をスムーズに繰り出すことができ、安定した落下速度を得ることできる。さらに、表示部５２に表示された仕掛けの水深、若しくは仕掛けの繰り出し速度を確認しながら、スプール３に作用する制動力を操作部材３０で調整することで、状況に適した仕掛けの落下速度を容易に得ることができる。
【００５０】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００５１】
（ａ） 上記実施形態では、スプール制動機構２０をスプール３と一体的に回転するスプール軸１０を軸方向に押圧するように構成していたが、スプール軸１０やスプール３に径方向から接触して摩擦抵抗を加えるものであってもよい。また、図７に示すように、スプール軸１０に一体回転可能に係合した係合部材６１に制動力を作用させてもよい。詳細には、両軸受リール２００のスプール制動機構１２０は、スプール軸１０の先端を覆う係合部材６１が第２摩擦プレート２３に接触して、スプール軸１０の回転が制動される。この場合は、係合部材６１により、第２摩擦プレート２３に接触する面積が大きくなり、制動力も大きくなる。このため、例えば、スプール３の径が大きいリールにおいて、操作部材３０をわずかに操作しただけで、制動力の調整が可能になる。
【００５２】
（ｂ） 上記実施形態では、操作部材３０を調整部材２１に取付けていたが、調整部材２１と操作部材３０を一体で形成してもよい。また、レバー形式でなく、ダイヤル式やスライドレバー式など、リールを把持する手の指で操作できるものであれば様式は問わない。
【００５３】
（ｃ） 上記実施形態では、スプール３に直接制動力を作用させていたが、スプール３から往復移動機構４０に回転を伝達する回転伝達機構４５を構成するギアに制動力を付与してもよい。
【００５４】
（ｄ） スプール制動機構２０はさらに一方向クラッチを備えて、スプール３の釣り糸繰出し方向のみに制動力を作用するように構成してもよい。
【００５５】
上記実施形態では、ハンドル４の操作で巻き取り可能な両軸受リール１００を例にして本発明を説明したが、モータ駆動で巻き取り可能な電動リールに本発明を適用してもよい。
【符号の説明】
【００５６】
２  リール本体
３  スプール
９  前カバー
１０  スプール軸
２１  調整部材
２２  第１摩擦プレート
２３  第２摩擦プレート
３０  操作部材
３０ａ  取付部
３０ｂ  操作本体部
４０  往復移動機構
４１  軸部材
４１ａ  螺旋状溝
４４  摺動部材
４４ａ  糸案内部
４５  回転伝達機構
４７ａ  大径ギア
４７ｂ  小径ギア
５２  表示部
５６  速度算出部（速度算出手段の一例）
５７  水深算出部（水深算出手段の一例）
５８  表示制御部（表示制御部の一例）
１００  両軸受リール